(57)【要約】      （修正有）【課題】飛散する人に有害な水銀やガラス破片を投射装置内から放出させない投射装置を提供する。【解決手段】投射装置１において、光を発生させるランプ装置１５と、ランプ装置１５が破損したかを検出する破損検出手段２と、投射装置１内の空気の流れを制御する手段４と、投射装置１内の気密を保つ手段３を有し、破損検出手段２の情報により、空気の流れを制御する手段４を使用して気密を保つ手段３が投射措置１内の空気を外部に放出させない。【選択図】図１
2016045263.tif 000002
【特許請求の範囲】
【請求項１】
投射装置において、
光を発生させるランプ装置と、
前記ランプ装置が破損したかを検出する破損検出手段と、
投射装置内の空気の流れを制御する手段と、
投射装置内の気密を保つ手段を有し、
前記破損検出手段の情報により、空気の流れを制御する手段を使用して気密を保つ手段が投射措置内の空気を外部に放出しないことを特徴とする投射装置。
【請求項２】
投射装置において、
光を発生させるランプ装置と、
前記ランプ装置が破損したかを検出する破損検出手段と、
投射装置内の空気の流れを制御する手段と、
投射装置内の気密を保つ手段と、
ランプの周囲温度を計測する温度検出手段を有し、
前記破損検出手段と温度検出手段の情報により、空気の流れを制御する手段を使用して気密を保つ手段が投射措置内の空気を外部に放出させない時間を制御することを特徴とする投射装置。
【請求項３】
光を発生させるランプ装置に高圧水銀ランプを使用したことを特徴とする請求項１に記載の投射装置。
【請求項４】
投射装置内の空気の流れを制御する装置にファンモータを使用したことを特徴とする請求項１に記載の投射装置。
【発明の詳細な説明】
【技術分野】
【０００１】
本発明は、高圧水銀ランプ等の光源を持つ投射装置に関する。
【背景技術】
【０００２】
従来、投射装置は様々な光源を使用しその光源からの光をスクリーン上に投射をする。その一例が高圧水銀ランプである。投射光を作り出す高圧水銀ランプは、有害物質とされる水銀を高い圧力のかかったガラス管内で気化させ、放電電極間の触媒として使用し、電極間を放電し光を発生させている。
【０００３】
また、高圧水銀ランプは、発光すると高温になり投射装置内の温度が上昇し、投射装置内の他の装置に影響を与えるため、通常は冷却用ファンモータにより作られた空気の流れで冷却をされている。
【０００４】
もし、高圧水銀ランプの不適合で点灯中にランプの破損が起きた場合には、気化した水銀や破損し粉々で鋭利なガラス破片がランプ内部の高い圧力により飛散する。また、飛散直後の水銀は温度が高く気化した状態である、その水銀がランプを冷やすための空気の流れにより投射装置外部に放出されてしまう。
【０００５】
そこで、特許文献１では破損したランプの交換時に飛散した水銀やガラス破片が取り出す際に筐体の外に飛散する事を防ぐための方式が開示されている。特許文献２では、破損したガラス破片など個体の物質が外部に飛散しない方式が開示されている。
【先行技術文献】
【特許文献】
【０００６】
【特許文献１】特開２００５−１９６２３０号公報
【特許文献２】特開平１１−２３７６９１号公報
【発明の概要】
【発明が解決しようとする課題】
【０００７】
しかしながら、上述の特許文献１に開示された従来技術では、ランプが破損した後に破損したランプを交換する時に初めて、保護用のシャッターがランプを外す動作でランプユニットからのガラスの破片などの飛散を防ぐ構成になっている。よって、点灯中の破壊時には気化した有害物質である水銀やガラスの破片が冷却用の空気の流れにより投射装置外に放出されてしまう。
【０００８】
また、特許文献２の手段でも、動作中のランプ破壊に対する考慮はされておらず、ランプが破損した後に破損したランプを交換する時に初めて保護用のシャッターでランプ部からの飛散を防ぐ構成は同等である。よって、点灯中にランプの破損が起きた場合の空気の流れによる気化した水銀の飛散やガラスの破片の飛散については考慮されていない。
【０００９】
そこで、本発明の目的は、投射装置において、動作中にランプが破損した時に飛散する気化した水銀や破損したガラスの破片を投射装置内に留める投射装置を提供することにある。
【課題を解決するための手段】
【００１０】
上記目的を達成するために、本発明は、
投射装置において、
光を発生させるランプ装置と、
前記ランプ装置が破損したかを検出する破損検出手段と、
投射装置内の空気の流れを制御する手段と、
投射装置内の気密を保つ手段を有し、
前記破損検出手段の情報により、空気の流れを制御する手段を使用して気密を保つ手段が投射措置内の空気を外部に放出しないことを特徴とする。
【発明の効果】
【００１１】
本発明による投射装置は、投射時にランプの破損を検出すると、空気の流れを制御する装置が気密を保つように作られた投射装置の内部圧力を外部より高く保つように空気の流れを制御する。この様な動作を行い気密された筐体内部の空気を外部に出す事を防ぐ事で、ランプの破損により飛散した気化した水銀やガラスの破片を筐体内部に留めることが可能になる。この動作により、ガラスの破片でけがをすることを防止し、有害物質の気化した水銀を人が吸い込むことを防止する。
【図面の簡単な説明】
【００１２】
【図１】本発明の投射装置の構成ブロック図である。
【図２】本発明の動作を示すフローチャートである。
【図３】本発明の作動条件を示す図である。
【図４】本発明の第二実施例の動作を示すフローチャートである。
【発明を実施するための形態】
【００１３】
投射装置は投射時にランプの破損を検出すると、空気の流れを制御するファンモータを制御して、気密を保つように作られた投射装置の内部圧力を外部より高く保つように制御を行う。そして、気化していた水銀の温度が下がる程度の時間、投射装置の内部圧力を外気より高く保ち続けた後に、ファンモータを停止する。この様な動作を行い筐体内部の空気を外部に出す事を防ぐ事で、ランプの破損により飛散した気化した水銀やガラスの破片を筐体内部に留めることが可能になる。この動作により、ガラスの破片でけがをすることを防止し、有害物質の気化した水銀を人が吸い込むことを防止する。以下、本発明を実施例に基づいて詳細に説明する。
【実施例１】
【００１４】
以下、図１を参照して、本発明の第１の実施例による投射装置について説明する。図１に示す投射装置は高圧水銀ランプを光源に持ち、その光は映像パネルを介する事で様々な映像を図示していないスクリーンに映す出す事が出来る。
【００１５】
映し出される画像は、図示していない画像の出力装置から入力される。画像出力装置とはＰＣや映像ディスクプレーヤなどで、入力される画像はデジタル信号のＤＶＩやＨＤＭＩ（登録商標）またアナログ信号のＮＴＳＣなど多種多様である。
【００１６】
以下に各要素ついて説明する。図１は本発明の投射装置のブロック図である。１は本発明の投射装置であり、ランプが破損してもガラスの破片や気化した水銀が投射装内部に留まることを特徴としている。ランプ破損感知センサ２は、マイクロフォンやイメージセンサでランプが破損したか健全かの状態情報を検知する、検知方法は特開２００９−１３４１８０号公報で示されている。ランプ破損検知センサ２は、データを収集しさまざまな制御を行うＣＰＵ（中央演算装置）３に接続されており、ランプの状態情報はＣＰＵ３に送られる。
【００１７】
ＣＰＵ３はファンドライバ４を制御し吸気ファンモータ５や排気ファンモータ６の回転方向や回転数や羽根の角度等を任意に制御する事が可能である。また、排気ファンモータ６は回転を逆回転させると同時に羽根の角度を変える事で流す風の向きを任意に変更できるファンモータである。エアフィルタ７は、吸気ファンモータ５に入る空気から塵埃を除去するものである。８はエアダクトで吸気ファンモータから導入された空気の流れでランプを冷却し排気ファンモータへ空気の流れを導くものである。エアダクト８は気密されており、導入された空気は排気されるまで漏れないものである。
【００１８】
９は外部入力であり図示していない画像出力装置から、多種多様な映像が入力される。入力された映像は外部入力９を通過し画像処理ＩＣ１０により投射装置１の映像パネル１１に適正な解像度に変換されたのちパネルドライバ１２に送られる。送られた信号はパネルドライバ１２により映像パネル装置１１を駆動する。
【００１９】
映像パネル１１は赤、青、緑の光の３原色別に３枚からなり、各パネルを通過した光は光学系１３により合成されレンズ１４に送られ投射される。映像パネル１１の画像を投影するためにはランプ１５発光させる必要があり、そのためにバラスト装置１６は外部電源入力１７から電源を供給してもらう。外部電源入力１７は図示していない外部ＡＣ電源から商用電源を得てバラスト装置１６をはじめ各部に各種の電圧の直流を作り供給する。
【００２０】
以上のように構成された投射装置の動作を以下に説明する。図２は、本発明の投影装置のランプ破損からの保護動作を示すフローチャートである。
【００２１】
上記の様に構成された投射装置はＳ２０１でＣＰＵ３は図示していない制御盤から点灯命令を受けバラスト装置１６を起動しランプ１５を点灯する。また、外部入力９からの映像信号を画像処理ＩＣ１０にて、映像パネル１１用に適正な解像度に変換しパネルドライバ１２に送り、パネル１１を駆動しランプ１５の光により映像を投射する。ランプ１５を点灯し画像の投射が始まるとＳ２０２に移行し、ランプ破損感知センサ２を使用してＣＰＵ３はランプの異常の監視を開始する。
【００２２】
監視を開始するとＳ２０３に移行しにランプ破損感知センサ２からのデータでランプ１５に異常が発生していないかの監視を続ける。もし、異常が発生するとＳ２０４に移行しＣＰＵ３はランプ破損感知センサ２の情報を解析してランプの破損かそれ以外の異常かを判断する。
【００２３】
ＣＰＵ３はランプの破損でないと判断するとＳ２０５に移行して、投射装置１の電源終了動作を開始し電源を落とす。ランプの破損と判断するとＳ２０６に移行しＣＰＵ３は排気ファンモータ６の風向きを逆転させて吸気ファンモータ５と同じ圧力になるように回転数と羽根の角度を制御する。そしてＳ２０７に移行し、ＣＰＵ３は排気ファンモータ６の風の流れをと吸気ファンモータ５と同じ圧力になるように一定時間保ち続けるように制御する。
【００２４】
予め設定された気化した水銀が固化する予定時間を過ぎるとＳ２０８に移行し、吸気ファンモータ５と排気ファンモータ６を同時に停止させる。ファンモータを停止後にＳ２０９に移行し図示していない操作パネルに警告を発しランプが破損した事をユーザに提示する。
【００２５】
以上の様に制御された投射装置１は、ランプ破損感知センサ２からの情報をＣＰＵ３で解析しランプ１５が破損したことを検知すると、排気ファンモータ６を制御して通常と逆向きの風の流れを作り出し、気密されたエアダクト８内部の圧力を外部より上げて気密状態とする。
【００２６】
以上のような動作を行う事で破損したランプ１５から飛散するガラスの破片や気化した水銀等を投射装置１内から外部に放出する事を防ぎ、使用者の保護を行う事が可能になる。
【実施例２】
【００２７】
以下、図３を参照して、本発明の第２の実施例による投射装置について説明する。図３に示す投射装置は高圧水銀ランプを光源に持ち、その光は映像パネルを介する事で様々な映像を図示していないスクリーンに映す出す事が出来る。
【００２８】
映し出される画像は、図示していない画像の出力装置から入力される。画像出力装置とはＰＣや映像ディスクプレーヤなどで、入力される画像はデジタル信号のＤＶＩやＨＤＭＩまたアナログ信号のＮＴＳＣなど多種多様である。
【００２９】
以下に各要素ついて説明する。図３は本発明の投射装置のブロック図である。１は本発明の投射装置であり、ランプが破損してもガラスの破片や気化した水銀が投射装内部に留まることを特徴としている。
【００３０】
ランプ破損感知センサ２は、マイクロフォンやイメージセンサでランプが破損したか健全かの状態情報を検知する、検知方法は特開２００９−１３４１８０号公報で示されている。ランプ破損検知センサ２は、データを収集しさまざまな制御を行うＣＰＵ（中央演算装置）３に接続されており、ランプの状態情報はＣＰＵ３に送られる。また、１８は温度センサであり、ランプの周辺の温度を計測する物であり、温度センサ１８も温度情報をＣＰＵ３に送る。
【００３１】
ＣＰＵ３はファンドライバ４を制御し吸気ファンモータ５や排気ファンモータ６の回転方向や回転数と羽根の角度等を任意に制御する事が可能である。また、排気ファンモータ６は回転を逆回転させると同時に羽根の角度を変える事で流す風の向きを任意に変更できるファンモータである。エアフィルタ７は、吸気ファンモータ５に入る空気から塵埃を除去するものである。
【００３２】
８はエアダクトで吸気ファンモータから導入された空気の流れでランプを冷却し排気ファンモータへ空気の流れを導くものである。エアダクト８は気密されており、導入された空気は排気されるまで漏れないものである。
【００３３】
９は外部入力であり図示していない画像出力装置から、多種多様な映像が入力される。
入力された映像は外部入力９を通過し画像処理ＩＣ１０により投射装置１の映像パネル１１に適正な解像度に変換されたのちパネルドライバ１２に送られる。送られた信号はパネルドライバ１２により映像パネル装置１１を駆動する。
【００３４】
映像パネル１１は赤、青、緑の光の３原色別に３枚からなり、各パネルを通過した光は光学系１３により合成されレンズ１４に送られ投射される。映像パネル１１の画像を投影するためにはランプ１５発光させる必要があり、そのためにバラスト装置１６は外部電源入力１７から電源を供給してもらう。外部電源入力１７は図示していない外部ＡＣ電源から商用電源を得てバラスト装置１６をはじめ各部に各種の電圧の直流を作り供給する。
【００３５】
以上のように構成された投射装置の動作を以下に説明する。図４は、本発明の投影装置のランプ破損からの保護動作を示すフローチャートである。上記の様に構成された投射装置はＳ４０１でＣＰＵ３は図示していない制御盤から点灯命令を受けバラスト装置１６を起動しランプ１５を点灯する。また、外部入力９からの映像信号を画像処理ＩＣ１０にて、映像パネル１１用に適正な解像度に変換しパネルドライバ１２に送り、パネル１１を駆動しランプ１５の光により映像を投射する。
【００３６】
ランプ１５を点灯し画像の投射が始まるとＳ４０２に移行し、ランプ破損感知センサ２を使用してＣＰＵ３はランプの異常の監視を開始する。監視を開始するとＳ４０３に移行しにランプ破損感知センサ２からのデータでランプ１５に異常が発生していないかの監視を続ける。もし、異常が発生するとＳ４０４に移行しＣＰＵ３はランプ破損感知センサ２の情報を解析してランプの破損かそれ以外の異常かを判断する。
【００３７】
ＣＰＵ３はランプの破損でないと判断するとＳ４０５に移行して、投射装置１の電源終了動作を開始し電源を落とす。ＣＰＵ３がランプの破損と判断するとＳ４０６に移行しＣＰＵ３は排気ファンモータ６の風向きを逆転させて吸気ファンモータ５と同じ圧力になるように回転数と羽根の角度を制御する。そしてＳ４０７に移行し、ＣＰＵ３は温度センサ１８から送られてくる温度情報により、エアダクト８内の温度が蒸発した水銀が固化する温度まで排気ファンモータ６の風の流れをと吸気ファンモータ５と同じ圧力になるように制御を行う。
【００３８】
ＣＰＵ３は、気化した水銀が固化したと判断する温度になると、Ｓ４０８に移行し、吸気ファンモータ５と排気ファンモータ６を同時に停止させる。停止動作を行った後にＳ４０９に移行し図示していない操作パネルに警告を発しランプが破損した事をユーザに提示する。
【００３９】
以上の様に制御された投射装置１は、ランプ破損感知センサ２からの情報をＣＰＵ３で解析しランプ１５が破損したことを検知すると、排気ファンモータ６を制御して通常と逆向きの風の流れを作り出し、気密されたエアダクト８内部の圧力を外部より上げて気密状態とする。そして、水銀が固化する温度になると吸気ファンモータ５と排気ファンモータ６を同時に止める。
【００４０】
以上のような動作を行う事で破損したランプ１５から飛散するガラスの破片や気化した水銀等を投射装置１内から外部に放出する事を防ぎ、使用者の保護を行う事が可能になる。
【００４１】
以上、本発明の好ましい実施形態について説明したが、本発明はこれらの実施形態に限定されず、その要旨の範囲内で種々の変形及び変更が可能である。
【符号の説明】
【００４２】
１  投射装置、２  ランプ破損検知センサ、３  ＣＰＵ（中央演算装置）、
４  ファンドライバ、５  吸気ファンモータ、６  排気ファンモータ、
７  エアフィルタ、８  エアダクト、９  外部入力、１０  画像処理ＩＣ、
１１  映像パネル、１２  パネルドライバ、１３  光学系、１４  レンズ、
１５  ランプ、１６  バラスト、１７  外部電源入力、１８  温度センサ
【図１】
2016045263.tif 000003
【図２】
2016045263.tif 000004
【図３】
2016045263.tif 000005
【図４】
2016045263.tif 000006